(57)【特許請求の範囲】
【請求項１】
第１の回路パターンが設けられた絶縁基板と、
前記第１の回路パターン上に第１のロウ材で接合された半導体素子と、
前記半導体素子の前記第１の回路パターンとは反対側に設けられた電極上に第２のロウ材で接合された配線端子と、
を備え、
前記配線端子の一部は、平面視で前記半導体素子を跨いだ複数個所で前記絶縁基板に接触し、かつ前記第１の回路パターンとは絶縁され、
前記絶縁基板上であって当該絶縁基板の周囲に配置された樹脂ケースをさらに備え、
前記配線端子の第１延在方向における端部側が前記樹脂ケースに埋め込まれ、前記第１延在方向と直交する第２延在方向の両端である前記配線端子の前記一部が前記絶縁基板に接触していることを特徴とする、半導体装置。
【請求項２】
前記絶縁基板は、前記第１の回路パターンと分離された第２の回路パターンをさらに設けられ、
前記配線端子の前記一部は、前記第２の回路パターンを介して前記絶縁基板に接触することを特徴とする、請求項１に記載の半導体装置。
【請求項３】
前記配線端子の前記一部は、前記第２の回路パターン上に第３のロウ材で接合されることを特徴とする、請求項２に記載の半導体装置。
【請求項４】
（ａ）第１の回路パターンが設けられた絶縁基板を準備する工程と、
（ｂ）前記第１の回路パターン上に半導体素子を第１のロウ材で接合する工程と、
（ｃ）前記半導体素子の前記第１の回路パターンとは反対側に設けられた電極上に配線端子を第２のロウ材で接合する工程と、
を備え、
前記配線端子の一部は、前記絶縁基板に向けて延設されており、
前記工程（ｃ）において、
前記配線端子は、前記絶縁基板の方向に加圧され、
前記配線端子の前記一部は、平面視で前記半導体素子を跨いだ複数個所で前記絶縁基板に接触し、かつ前記第１の回路パターンとは絶縁され、
（ｄ）前記絶縁基板上であって当該絶縁基板の周囲に樹脂ケースを配置する工程をさらに備え、
前記配線端子の第１延在方向における端部側が前記樹脂ケースに埋め込まれ、前記第１延在方向と直交する第２延在方向の両端である前記配線端子の前記一部が前記絶縁基板に接触していることを特徴とする、半導体装置の製造方法。
【請求項５】
前記工程（ａ）において、前記絶縁基板は、前記第１の回路パターンと分離された第２の回路パターンをさらに設けられ、
前記工程（ｃ）において、前記配線端子の前記一部は、前記第２の回路パターンを介して前記絶縁基板に接触することを特徴とする、請求項４に記載の半導体装置の製造方法。
【請求項６】
前記工程（ｃ）において、前記配線端子の前記一部は、前記第２の回路パターン上に第３のロウ材で接合されることを特徴とする、請求項５に記載の半導体装置の製造方法。
【発明の詳細な説明】
【技術分野】
【０００１】
本発明は、半導体装置およびその製造方法に関し、特に、電気自動車や電車等のモータを制御するインバータ回路、回生用のコンバータ回路、または昇圧回路等に用いられる電力用の半導体装置およびその製造方法に関する。
【背景技術】
【０００２】
従来の電力用の半導体装置では、半導体素子の上面に設けられた電極に接合される配線端子は、樹脂ケースに一体成型されるなどして固定されていた（例えば、特許文献１参照）。従って、半導体素子と配線端子との間隔の精度は、半導体装置を組み立てる（製造する）上で重要であった。
【０００３】
上記の半導体装置において、樹脂ケースと当該樹脂ケースが配置される基板との接合面では、樹脂ケースの樹脂が収縮することによって反りやうねり等が生じる。また、基板では、半導体装置の製造工程において熱膨張量が異なる材料を接合することによって反りが生じる。さらに、樹脂ケースと基板とを接着して接合する際において、接着剤の厚みにばらつきが生じていた。
【０００４】
このような問題の対策として、従来では、半導体素子と配線端子とを所望の間隔範囲内で接合するために、樹脂ケースの厳しい寸法管理や、半導体装置の組み立て精度の管理および検査等がなされていた。
【先行技術文献】
【特許文献】
【０００５】
【特許文献１】特開２０１３−６２４０５号公報
【発明の概要】
【発明が解決しようとする課題】
【０００６】
従来の半導体装置において、半導体素子と配線端子との間隔が小さい場合は、冷熱サイクルによる半導体素子に対する熱応力が大きくなり、半導体装置の信頼性が低下するという問題がある。一方、半導体素子と配線端子との間隔が大きい場合は、半導体素子と配線端子とを接合するために供給されるはんだ等のロウ材が不足して接合不良になるという問題がある。
【０００７】
本発明は、このような問題を解決するためになされたものであり、樹脂ケースの厳しい寸法管理や半導体装置の組み立て精度の管理を不要とし、半導体素子と配線端子とを所望の間隔範囲内で容易に接合することが可能な半導体装置およびその製造方法を提供することを目的とする。
【課題を解決するための手段】
【０００８】
上記の課題を解決するために、本発明による半導体装置は、第１の回路パターンが設けられた絶縁基板と、第１の回路パターン上に第１のロウ材で接合された半導体素子と、半導体素子の第１の回路パターンとは反対側に設けられた電極上に第２のロウ材で接合された配線端子とを備え、配線端子の一部は、平面視で半導体素子を跨いだ複数個所で絶縁基板に接触し、かつ第１の回路パターンとは絶縁され、絶縁基板上であって当該絶縁基板の周囲に配置された樹脂ケースをさらに備え、配線端子の第１延在方向における端部側が樹脂ケースに埋め込まれ、第１延在方向と直交する第２延在方向の両端である配線端子の一部が絶縁基板に接触していることを特徴とする。
【０００９】
また、本発明による半導体装置の製造方法は、（ａ）第１の回路パターンが設けられた絶縁基板を準備する工程と、（ｂ）第１の回路パターン上に半導体素子を第１のロウ材で接合する工程と、（ｃ）半導体素子の第１の回路パターンとは反対側に設けられた電極上に配線端子を第２のロウ材で接合する工程とを備え、配線端子の一部は、絶縁基板に向けて延設されており、工程（ｃ）において、配線端子は、絶縁基板の方向に加圧され、配線端子の一部は、平面視で半導体素子を跨いだ複数個所で絶縁基板に接触し、かつ第１の回路パターンとは絶縁され、（ｄ）絶縁基板上であって当該絶縁基板の周囲に樹脂ケースを配置する工程をさらに備え、配線端子の第１延在方向における端部側が樹脂ケースに埋め込まれ、第１延在方向と直交する第２延在方向の両端である配線端子の一部が絶縁基板に接触していることを特徴とする。
【発明の効果】
【００１０】
本発明によると、半導体装置は、第１の回路パターンが設けられた絶縁基板と、第１の回路パターン上に第１のロウ材で接合された半導体素子と、半導体素子の第１の回路パターンとは反対側に設けられた電極上に第２のロウ材で接合された配線端子とを備え、配線端子の一部は、平面視で半導体素子を跨いだ複数個所で絶縁基板に接触し、かつ第１の回路パターンとは絶縁され、絶縁基板上であって当該絶縁基板の周囲に配置された樹脂ケースをさらに備え、配線端子の第１延在方向における端部側が樹脂ケースに埋め込まれ、第１延在方向と直交する第２延在方向の両端である配線端子の一部が絶縁基板に接触しているため、樹脂ケースの厳しい寸法管理や半導体装置の組み立て精度の管理を不要とし、半導体素子と配線端子とを所望の間隔範囲内で容易に接合することが可能となる。
【００１１】
また、半導体装置の製造方法は、（ａ）第１の回路パターンが設けられた絶縁基板を準備する工程と、（ｂ）第１の回路パターン上に半導体素子を第１のロウ材で接合する工程と、（ｃ）半導体素子の第１の回路パターンとは反対側に設けられた電極上に配線端子を第２のロウ材で接合する工程とを備え、配線端子の一部は、絶縁基板に向けて延設されており、工程（ｃ）において、配線端子は、絶縁基板の方向に加圧され、配線端子の一部は、平面視で半導体素子を跨いだ複数個所で絶縁基板に接触し、かつ第１の回路パターンとは絶縁され、（ｄ）絶縁基板上であって当該絶縁基板の周囲に樹脂ケースを配置する工程をさらに備え、配線端子の第１延在方向における端部側が樹脂ケースに埋め込まれ、第１延在方向と直交する第２延在方向の両端である配線端子の一部が絶縁基板に接触しているため、樹脂ケースの厳しい寸法管理や半導体装置の組み立て精度の管理を不要とし、半導体素子と配線端子とを所望の間隔範囲内で容易に接合することが可能となる。
【図面の簡単な説明】
【００１２】
【図１】本発明の実施の形態による半導体装置の構成の一例を示す平面図である。
【図２】図１におけるＡ１−Ａ２の断面図である。
【図３】図１におけるＢ１−Ｂ２の断面図である。
【図４】図２を樹脂封止した状態を示す断面図である。
【図５】図３の他の一例を示す断面図である。
【図６】前提技術による半導体装置の構成の一例を示す平面図である。
【図７】図６におけるＣ１−Ｃ２の断面の一例を示す図である。
【図８】図６におけるＣ１−Ｃ２の断面の他の一例を示す図である。
【図９】図６におけるＤ１−Ｄ２の断面の一例を示す図である。
【発明を実施するための形態】
【００１３】
本発明の実施の形態について、図面に基づいて以下に説明する。
【００１４】
＜前提技術＞
まず、本発明の前提となる技術（前提技術）について説明する。
【００１５】
図６は、前提技術による電力用の半導体装置の構成の一例を示す平面図である。図７，８は、図６におけるＣ１−Ｃ２の断面の一例を示す図である。図９は、図６におけるＤ１−Ｄ２の断面の一例を示す図である。
【００１６】
図６〜９に示すように、前提技術による半導体装置は、絶縁基板１上に絶縁層２を形成し、絶縁層２上に回路パターン３を設けている。回路パターン３上には、ロウ材１３を介して半導体素子５および半導体素子６が接合されている。ここで、絶縁基板１としては、例えば金属ベース基板が挙げられる。また、半導体素子５としては、例えばＩＧＢＴ（Insulated Gate Bipolar Transistor）が挙げられ、半導体素子６としては、例えばＦＷＤ（Free Wheeling Diode）が挙げられる。
【００１７】
絶縁基板１の周辺部分であって絶縁層２上には、樹脂ケース７が接着して配置されている。樹脂ケース７には、配線端子８、配線端子９、信号端子１０、および取り付け用のカラー１１が一体成型されている。ここで、配線端子８としては、例えばＥ（エミッタ）端子が挙げられ、配線端子９としては、例えばＣ（コレクタ）端子が挙げられる。
【００１８】
図７に示すように、半導体素子５，６と配線端子８との間隔が小さい場合は、冷熱サイクルによる半導体素子５，６に対する熱応力が大きくなり、半導体装置の信頼性が低下するという問題が生じる。また、半導体素子５，６と配線端子８との接合時にロウ材１４がはみ出すという不具合が生じる。
【００１９】
一方、図８に示すように、半導体素子５，６と配線端子８との間隔が大きい場合は、ロウ材１４が不足して、半導体素子５，６と配線端子８とが接合しないという問題が生じる。
【００２０】
また、図９に示すように、半導体素子５と配線端子８との間隔が一定でない場合は、半導体素子５と配線端子８との間隔が小さい箇所と大きい箇所とができてしまい、上記の図７，８と同様の問題が生じる。
【００２１】
上記より、半導体素子５，６と配線端子８との間隔を一定に保持することが重要となる。
【００２２】
本発明は、このような問題を解決するためになされたものであり、以下に詳細に説明する。
【００２３】
＜実施の形態＞
図１は、本発明の実施の形態による電力用の半導体装置の構成の一例を示す平面図である。図２は、図１におけるＡ１−Ａ２の断面図である。図３は、図１におけるＢ１−Ｂ２の断面図である。
【００２４】
図１，３に示すように、本実施の形態による半導体装置は、配線端子８の一部が、ロウ材１５（第３のロウ材）を介して回路パターン４（第２の回路パターン）に接合されていることを特徴としている。その他の構成は、前提技術による半導体装置と同様であるため、ここでは詳細な説明を省略する。
【００２５】
図１〜３に示すように、配線端子８は、半導体素子５および半導体素子６の各々の上面に形成された電極上（半導体素子５，６の回路パターン３（第１の回路パターン）とは反対側に設けられた電極上）にロウ材１４（第２のロウ材）で接合されている。半導体素子５，６は、回路パターン３上にロウ材１３（第１のロウ材）で接合されている。また、配線端子８は、一部（２箇所）が突出して形成されている。
【００２６】
配線端子８の突出した部分は、絶縁基板１側に向けて延設されており、回路パターン４上にロウ材１５で接合されている。すなわち、配線端子８の一部は、回路パターン４を介して絶縁基板１に接触し、平面視で半導体素子５，６を跨いだ複数個所で接触している。また、回路パターン４は、絶縁層２上に設けられ、回路パターン３と分離（絶縁）されている。半導体装置の組み立てがばらつくことによって配線端子８と回路パターン４との間に微小な隙間が生じると、半導体素子５のスイッチング動作時に当該隙間で放電が発生し、ノイズの発生や絶縁層２の信頼性の低下等の問題があるが、ロウ材１５を介して配線端子８と回路パターン４とを接合することによって防止することができる。
【００２７】
配線端子９は、ロウ材（図示せず）を介して回路パターン３と接合されている。信号端子１０は、アルミワイヤ１２を介して半導体素子５と接合されている。
【００２８】
図１〜３に示す半導体装置を組み立てる工程（製造工程）において、配線端子８を、ロウ材１４を介して半導体素子５および半導体素子６の各々の上面に形成された電極に接合する際には、配線端子８の上方から絶縁基板１の方向に加圧される。このとき、配線端子８の一部は回路パターン４に当接し接合されるため、配線端子８に対する圧力による絶縁層２へのダメージを抑制することができ、半導体装置の品質および信頼性が向上する。その後、図４に示すように、樹脂ケース７内にシリコーンゲルまたはエポキシ樹脂等の絶縁樹脂である封止樹脂１６で封止することによって、本実施の形態による半導体装置が完成する。
【００２９】
すなわち、本発明による半導体装置の製造方法は、（ａ）回路パターン３が設けられた絶縁基板１を準備する工程と、（ｂ）回路パターン３上に半導体素子５，６をロウ材１３で接合する工程と、（ｃ）半導体素子５，６の回路パターン３とは反対側に設けられた電極上に配線端子８をロウ材１４で接合する工程とを備え、配線端子８の一部は、絶縁基板１に向けて延設されており、工程（ｃ）において、配線端子８は、絶縁基板１の方向に加圧され、配線端子８の一部は、絶縁基板１に接触し、かつ回路パターン３とは絶縁されていることを特徴とする。
【００３０】
上述の前提技術でも説明した通り、半導体素子５，６と配線端子８との間隔を一定に保持することは、半導体装置の信頼性を低下させないためにも重要である。配線端子８，９は、通常はプレス加工によって形成されているため、単品（配線端子８，９の各々）で寸法の精度を向上させること（すなわち、寸法のばらつきなく配線端子８，９を形成すること）は容易である。しかし、配線端子８，９は、樹脂ケース７で保持されるため、配線端子８，９と半導体素子５，６との間隔は、樹脂ケース７の樹脂の反りやヒケによってばらつきやすくなる。
【００３１】
一方、本実施の形態による半導体装置は、配線端子８の一部を絶縁基板１に向けて折り曲げ、配線端子８の上方から絶縁基板１側に向けて加圧することによって配線端子８と半導体素子５，６とを接触させているため、配線端子８が半導体素子５，６から浮き上がることを防止し、半導体素子５，６と配線端子８との間隔を所望の間隔にすることができる。
【００３２】
以上のことから、本実施の形態によれば、樹脂ケース７の厳しい寸法管理や半導体装置の組み立て精度の管理を不要とし、半導体素子５，６と配線端子８とを所望の間隔範囲内で容易に接合することが可能となる。従って、半導体素子５，６と配線端子８との間隔の精度が向上することによって半導体装置の組み立て時における不良率が低減し（半導体装置の組み立て工程における歩留りが向上し）、半導体装置の信頼性が向上する。また、配線端子８と回路パターン４とを２箇所で接合しているため、配線端子８の傾きを抑制し、半導体素子５，６と配線端子８との間隔の精度を向上させることができる。
【００３３】
なお、上記では、配線端子８の一部が、ロウ材１５を介して回路パターン４に接合される場合について説明したが（図３参照）、これに限るものではない。例えば、回路パターン４に代えて、任意の突起等であってもよい。また、例えば、図５に示すように、回路パターン４等を設けずに、配線端子８の一部が絶縁層２に接触するようにしてもよい。このとき、当該接触位置と回路パターン３とは絶縁されている。
【００３４】
上記では、配線端子８の一部が、回路パターン４（または絶縁層２）と２箇所で接合（接触）する場合について説明したが、これに限るものではなく、スペースを考慮して１箇所であってもよい。ただし、この場合は、配線端子８と半導体素子５，６とを加圧によって接合（接触）するときに配線端子８が撓む可能性があるため、加圧する位置は接合（接触）させる箇所の近傍であることが望ましい。
【００３５】
上記では、絶縁基板１として金属ベース基板を用いる場合について説明したが、これに限るものではない。例えば、絶縁基板１に代えて、ロウ材を介してセラミック絶縁基板を銅ベース板に接合した構造を有する基板を用いた場合は、基板の表面に反りが生じるため、特に効果的である。
【００３６】
なお、本発明は、その発明の範囲内において、実施の形態を適宜、変形、省略することが可能である。
【符号の説明】
【００３７】
１  絶縁基板、２  絶縁層、３，４  回路パターン、４  配線端子、５，６  半導体素子、７  樹脂ケース、８  配線端子、９  配線端子、１０  信号端子、１１  カラー、１２  アルミワイヤ、１３〜１５  ロウ材、１６  封止樹脂。
【図１】
0006305302.tif 000002
【図２】
0006305302.tif 000003
【図３】
0006305302.tif 000004
【図４】
0006305302.tif 000005
【図５】
0006305302.tif 000006
【図６】
0006305302.tif 000007
【図７】
0006305302.tif 000008
【図８】
0006305302.tif 000009
【図９】
0006305302.tif 000010